(57)【要約】
【課題】  差込口からの異物の侵入を防ぎ、消費者が不良品であると誤解することが無く、外観の質感を高めたコンセントの安全装置を提供すること。
【解決手段】  上殻体１及び下殻体５に導電端子Ａ３と合致する上差込口１２及び下差込口５２を穿設し、スライド体２に上面が水平な遮蔽板２２を設け、第１の弾性部材３でスライド体２を遮蔽板２２が上差込口１２と合致するよう幅方向へ付勢し、遮蔽板２２の間においてスライド体２の下面を第２の弾性部材４で支持して上方へ付勢し、スライド体２に突起部２１を設け、下殻体５にガイド片５３を設け、ガイド片５３に、スライド体２が下方へ平行移動した時突起部２１に当接して、遮蔽板２２が上差込孔１２から外れるよう幅方向にガイドする斜面５４を設ける。
【選択図】          図４
0003101226.tif 000002
【実用新案登録請求の範囲】
【請求項１】
コンセントに装着された安全装置であって、上殻体、スライド体、第１の弾性部材、第２の弾性部材及び下殻体を備え、前記上殻体には、前記コンセント内に設置された一対の導電端子の上方に位置する一対の上差込口を穿設し、前記スライド体は、前記上殻体の下方に幅方向及び上下方向に移動可能に設置されると共に、前記上殻体の上差込口を遮蔽可能で上面が水平面である一対の遮蔽板を有し、前記第１の弾性部材は前記スライド体をその遮蔽板が前記上差込口と合致するよう幅方向に付勢し、前記第２の弾性部材は、前記一対の遮蔽板の間において前記スライド体の下面を支持して、該スライド体を上方へ付勢し、前記下殻体は、前記スライド体の下方において前記上殻体に取り付けられると共に、前記上差込口及び導電端子と対応する一対の下差込口を有し、前記スライド体及び下殻体の一方に突起部を形成すると共に、前記スライド体及び下殻体の他方にガイド片を設け、該ガイド片は、前記スライド体が下方へ平行移動した時前記突起部に当接して、前記スライド体の遮蔽板が前記上差込孔から外れるよう幅方向にガイドする斜面を有するコンセントの安全装置。
【考案の詳細な説明】
【技術分野】
【０００１】
本考案は、差込口への異物の侵入及び感電事故を防止するコンセントの安全装置に関する。
【背景技術】
【０００２】
一般的な壁面コンセント及び延長コンセントは、二つ又は三つを一組とする差込口を１乃至複数組有するが、これらの差込口は開放されているので、幼児等が好奇心から異物を差込口へ挿入し、感電する事故が発生しやすい。
また、差込口の内部には銅材料より成る導電端子が設置されており、この導電端子が長期間空気中にさらされると、銅の酸化や埃の体積によって、導電効率に悪影響がある。
従って、従来のコンセントは潜在的な危険性を有しており、理想的といえるものではなかった。
【０００３】
そこで、異物が差込口へ侵入するのを防ぐ安全なコンセントが提案されている（特許文献１参照）。
このコンセントは、図８に示すように、コンセントの殻体Ｄ内に幅方向へ移動可能なカバー体Ｄ１を設置して成り、カバー体Ｄ１には、その移動に伴ってそれぞれ差込口Ｄ３の下方を開閉する一対の遮蔽片Ｄ２を設けてある。カバー体Ｄ１は、遮蔽片Ｄ２が差込口Ｄ３を遮蔽する方向に付勢されている。
プラグＢの刃Ｂ１を差込口Ｄ３に挿入すると、左右の遮蔽片Ｄ２の斜面が刃Ｂ１の先端で均等に押圧されて移動し、カバー体Ｄ１全体が幅方向に移動して刃Ｂ１の通過を許容するので、プラグＢを完全に差し込んで、刃Ｂ１の先端と差込口Ｄ３の奥に設置された導電片Ｄ４とを接続させることができる。
【０００４】
一方、図９に示すように、一方の差込口Ｄ３へ異物Ｃを差し込むと、異物Ｃがカバー体Ｄ１の一方の遮蔽片Ｄ２のみに作用するので、カバー体Ｄ１は梃子のように回転して他方の遮蔽片Ｄ２が上方へ持ち上げられ、このため、カバー体Ｄ１は幅方向へ移動することができず、差込口Ｄ３は遮蔽されたままとなって、異物Ｃはそれ以上進入することができない。
ところが、このコンセントでは、異物侵入による危険を回避する効果は十分に得られるものの、カバー体Ｄ１の遮蔽片Ｄ２が差込口Ｄ３の下方に配置されているので、消費者が殻体Ｄの外側から差込口Ｄ３を見ると、傾斜した遮蔽片Ｄ２が目に入り、その傾斜状態によって、カバー体Ｄ１がきちんと装着されていないと誤解する可能性がある。
【０００５】
【特許文献１】米国特許第６５３７０８８号明細書
【考案の開示】
【考案が解決しようとする課題】
【０００６】
本考案が解決しようとする課題は、差込口からの異物の侵入を防いで、導電端子への埃の体積や感電事故の発生を回避でき、消費者が不良品であると誤解することが無く、外観の質感を高めたコンセントの安全装置を提供することにある。
【課題を解決するための手段】
【０００７】
本考案のコンセントの安全装置は、上殻体、スライド体、第１の弾性部材、第２の弾性部材及び下殻体を備え、前記上殻体には、前記コンセント内に設置された一対の導電端子の上方に位置する一対の上差込口を穿設し、前記スライド体は、前記上殻体の下方に幅方向及び上下方向に移動可能に設置されると共に、前記上殻体の上差込口を遮蔽可能で上面が水平面である一対の遮蔽板を有し、前記第１の弾性部材は前記スライド体をその遮蔽板が前記上差込口と合致するよう幅方向に付勢し、前記第２の弾性部材は、前記一対の遮蔽板の間において前記スライド体の下面を支持して、該スライド体を上方へ付勢し、前記下殻体は、前記スライド体の下方において前記上殻体に取り付けられると共に、前記上差込口及び導電端子と対応する一対の下差込口を有し、前記スライド体及び下殻体の一方に突起部を形成すると共に、前記スライド体及び下殻体の他方にガイド片を設け、該ガイド片は、前記スライド体が下方へ平行移動した時前記突起部に当接して、前記スライド体の遮蔽板が前記上差込孔から外れるよう幅方向にガイドする斜面を有する。
【考案の効果】
【０００８】
本考案によれば、プラグの刃を上差込口に挿入する際には、スライド体が移動して導電端子と刃とを接続することができるが、一方の上差込口のみに異物が入り込んだ場合には、遮蔽板による遮蔽状態が維持されて異物の侵入を確実に阻止するので、埃の体積による導電効率の悪化や、感電事故の発生を防ぐことができる。
また、上差込口を通して見える遮蔽板の上面が水平面であるため、体裁が良く、消費者が組み付け不良であると誤解する虞がない。
【考案を実施するための最良の形態】
【０００９】
以下、本考案の実施例を図面に基づいて詳細に説明する。
【実施例１】
【００１０】
図１乃至図６は、本考案の実施例１を示す。
コンセントの安全装置は、図１及び図２に示すように、上殻体１、スライド体２、第１の弾性部材３、第２の弾性部材４及び下殻体５を備える。
上殻体１は、下殻体５と共に外殻を構成し、下面が開口した箱形を呈する。上殻体１の下面両側部には下殻体５に組み付けるための嵌合突起１１を設け、上殻体１の天部両側寄りに左右一対の上差込口１２を穿設してある。
また、上殻体５の下面において、左右の上差込口１２の間には下方へ突出した支持片１３を設けると共に、一方の上差込口１２よりも外側に、下方へ突出した位置決め片１４を設けてある。
【００１１】
スライド体２は、中央部分が中空状の略四角形の枠体より成り、上殻体１の内部に幅方向及び上下方向に移動可能に設置され、その中央部分に上殻体１の支持片１３が挿通される。
スライド体２の前後枠の中間部には、それぞれ中心部へ向けて突出する突起部２１を相対向するよう設け、スライド体２の左右枠の一方には、中心部へ向けて柱体２３を突設する。そして、スライド体２は、柱体２３の先端が支持片１３と対向するように上殻体２内に設置される。
また、スライド体２の上面の左右両側には、上殻体１の一対の上差込口１２と対応する一対の遮蔽板２２を設ける。遮蔽板２２の上面は水平面としてある。
【００１２】
第１の弾性部材３はコイルスプリングより成り、その一端がスライド体２の柱体２３に係合され、他端が上殻体１の支持片１３に当接されて、スライド体２をその遮蔽板２２が上殻体１の上差込口１２と合致する方向に付勢している。
第２の弾性部材４は、前後一対の弾力端部４１を有し、弾力端部４１と逆側の端部が上殻体１の位置決め片１４に係止されている。そして、弾力端部４１が、左右の遮蔽板２２の間において、スライド体２の前後枠の下面を支持し、スライド体２を上方に向けて付勢している。
このように、スライド体２を第１の弾性部材３で幅方向に付勢すると共に、第２の弾性部材４で上方に付勢すると、常態では、スライド体２の遮蔽板２２が下方から上差込口１２に挿入される。
【００１３】
下殻体５は、嵌合、螺合、超音波接合等の適宜手段によって上殻体１の下面に装着され、その両側部には上殻体１の嵌合突起１１と係合する透孔５１を有する。
また、下殻体５の両側寄りにおいて、上殻体１の上差込口１２と対応する位置には一対の下差込口５２を穿設し、左右の下差込口５２の間において、下殻体５の上面前後部に、それぞれガイド片５３を立設する。
ガイド片５３の一方の側面（支持片１３寄りの側面）は、下方ほど支持片１３に接近するよう傾斜した斜面５４となっている。また、ガイド片５３は、常態では（スライド体２が上昇している状態では）スライド体２の下方に位置し、スライド体２が下降すると、突起部２１が斜面５４に当接する位置及び高さに形成される。
さらに、前後のガイド片５３の間において、支持片１３の側面に臨む位置には、第１の弾性部材３を下方から支持する支持突起５５を設ける。
【００１４】
この安全装置は、図３乃至図６に示すように、コンセントＡの上面中央部に形成された固定孔Ａ１に嵌合固定され、コンセントＡ内部に設けられた座体Ａ２上に載置される。すると、上殻体１の上差込口１２及び下殻体５の下差込口５２が、コンセントＡの座体Ａ２内に設置された導電端子Ａ３の上方に配置される。
図３に示すように、プラグＢの刃Ｂ１を一対の上差込口１２に挿入すると、左右の遮蔽板２２が同時に下方へ押されて上差込口１２から抜けだし、スライド体２が第２の弾性部材４の付勢に抗して下方へ平行移動して、スライド体２の突起部２１がガイド片５３の斜面５４に当接する。
【００１５】
図４に示すように、プラグＢの刃Ｂ１がさらに深く進入すると、スライド体２が下降を継続して突起部２１がガイド片５３の斜面５４に沿って滑動する。この結果、スライド体２は、第１の弾性部材３の付勢に抗してこれを圧縮しながら、支持片１３に接近するよう幅方向へ移動する。
そして、図５に示すように、遮蔽板２２が完全に上差込口１２から外れた位置へ移動すると、プラグＢの刃Ｂ１は下殻体５の下差込口５２を通してコンセントＡの導電端子Ａ３内に挿入され、導通状態となる。
【００１６】
スライド体２の下降に伴い、第１の弾性部材３は圧縮されながら下降するが、下殻体５の支持突起５５に下方から支持されるので、変形によって支持片１３から脱落することはない。
プラグＢの刃Ｂ１を抜き取ると、スライド体２は、第１の弾性部材３に押圧されて支持片１３から遠ざかるよう幅方向に移動すると共に、第２の弾性部材４に押されて上昇し、元の位置に復帰して遮蔽板２２が再び上差込口１２を遮蔽する。
【００１７】
図６に示すように、一方の上差込口１２に異物Ｃが挿入されると、一方の遮蔽板２２のみが異物Ｃによって下方へ押されるので、スライド体２は第２の弾性部材４の弾性端部４１によって支持された個所を中心に回動し、他方の遮蔽板２２は上方へ押し上げられて上差込口１２に挿入された状態を維持する。
従って、スライド体２は幅方向に移動することができず、異物Ｃが侵入した上差込孔１２の下方は遮蔽板２２で遮られるため、異物Ｃは下差込孔５２を通過して導電端子Ａ３に達することができない。
【実施例２】
【００１８】
図７は、本考案の実施例２を示す。
スライド体２の下面の幅方向中間部にガイド片２４を設け、ガイド片２４の柱体２３側の側面を、下方ほど支持片１３に接近するよう傾斜した斜面２５とする。
また、下殻体５の上面の幅方向中間部に、スライド体２が下方に平行移動した時、ガイド片２４の斜面２５に当接する突起部５６を形成する。そして、スライド体２が下降を継続すると、スライド体２に形成されたガイド片２４の斜面２５と下殻体５の突起部５６とが相対的に滑動し、スライド体２が幅方向に移動して上差込口１２が開放される。
その他の構成及び使用方法は、実施例１とほぼ同様なので、同一部分に同一符号を付して詳細な説明を省略する。
なお、上殻体及び下殻体の形状は、内部にスライド体、第１の弾性部材及び第２の弾性部材を収納できる空間を有するものであれば特に限定されず、例えば、下殻体を上面が開口した箱形とし、上殻体で下殻体の上面を閉鎖するようにしても良い。
【図面の簡単な説明】
【００１９】
【図１】実施例１を示すコンセントの安全装置の分解斜視図。
【図２】実施例１を示すコンセントの安全装置の断面図。
【図３】実施例１に係るコンセント及びその安全装置の、プラグ差込時における作動過程の第１段階を示す断面図。
【図４】実施例１に係るコンセント及びその安全装置の、プラグ差込時における作動過程の第２段階を示す断面図。
【図５】実施例１に係るコンセント及びその安全装置の、プラグ差込時における作動過程の第３段階を示す断面図。
【図６】実施例１に係るコンセント及びその安全装置の、異物侵入時における作動過程を示す断面図。
【図７】実施例２を示すコンセントの安全装置の断面図。
【図８】従来のコンセントのプラグ差込時における断面図。
【図９】従来のコンセントの異物侵入時における断面図。
【符号の説明】
【００２０】
１  上殻体
１１  嵌合突起
１２  上差込口
１３  支持片
１４  位置決め片
２  スライド体
２１  突起部
２２  遮蔽板
２３  柱体
２４  ガイド片
２５  斜面
３  第１の弾性部材
４  第２の弾性部材
４１  弾力端部
５  下殻体
５１  透孔
５２  下差込口
５３  ガイド片
５４  斜面
５５  支持突起
２６  突起部
Ａ  コンセント
Ａ１  固定孔
Ａ２  座体
Ａ３  導電端子
Ｂ  プラグ
Ｂ１  刃
Ｃ  異物
【図１】
0003101226.tif 000003
【図２】
0003101226.tif 000004
【図３】
0003101226.tif 000005
【図４】
0003101226.tif 000006
【図５】
0003101226.tif 000007
【図６】
0003101226.tif 000008
【図７】
0003101226.tif 000009
【図８】
0003101226.tif 000010
【図９】
0003101226.tif 000011